(57)【特許請求の範囲】
【請求項１】
円形の外縁部が水平面上に配置された表示部と、該表示部を見下ろす位置に、前記円形の外縁部と同心円をなすように配置された観覧ポイントとを備え、
前記表示部が、円形の平面部と、該平面部の周囲に配置され、前記円形の外縁部を規定する、外側に向かって上方に湾曲する湾曲部とからなり、
前記表示部の、映像が表示される範囲と表示されない範囲との境界が、前記湾曲部に、前記境界をぼかすようにして表示するよう配置されることを特徴とする映像観覧システム。
【請求項２】
前記表示部が設置された表示フロアと、前記観覧ポイントが設置された観覧フロアとを備えることを特徴とする請求項１記載の映像観覧システム。
【請求項３】
前記観覧フロアが、前記表示フロアの上層に配置され、かつ、前記表示部の円形の外縁部と同心円をなす開口を有していることを特徴とする請求項２記載の映像観覧システム。
【請求項４】
前記開口の直径が、前記表示部の円形の外縁部の直径以下に形成されていることを特徴とする請求項３記載の映像観覧システム。
【請求項５】
前記表示部の円形の外縁部、又は、前記観覧フロアの開口の周縁部に沿って、円形の柵が設けられていることを特徴とする請求項１から４のいずれか１項記載の映像観覧システム。
【請求項６】
前記湾曲部は、外側に向かうにつれて、上方への傾斜角度が徐々に増加することを特徴とする請求項１から５のいずれか１項記載の映像観覧システム。
【請求項７】
前記表示部に映像を表示するための表示装置を備えることを特徴とする請求項１から６のいずれか１項記載の映像観覧システム。
【請求項８】
前記表示装置は、前記表示部にドットバイドットで映像を表示するものであることを特徴とする請求項７記載の映像観覧システム。
【請求項９】
前記表示装置は、前記表示部に映像を表示する際に、前記湾曲部にプロジェクションマッピング技術を利用した映像を表示するものであることを特徴とする請求項７又は８記載の映像観覧システム。
【請求項１０】
前記表示装置は、前記表示部に表示する映像のドットサイズが、観覧者が前記観覧ポイントから映像を観覧する際の、観覧者の目と前記表示部との間の予め設定される観覧距離の、１０００分の１以下であることを特徴とする請求項７から９のいずれか１項記載の映像観覧システム。
【請求項１１】
前記表示装置は、前記表示部の大きさと前記ドットサイズとに基づいて算出された総ドット数で構成される映像を、前記表示部に投射可能な数量の、前記表示部の上方から前記表示部に映像を投射するプロジェクタと、該プロジェクタに映像データを提供する再生機器とを含むことを特徴とする請求項１０記載の映像観覧システム。
【請求項１２】
前記表示装置は、前記表示部の上方から前記表示部に映像を投射する１台以上のプロジェクタと、該プロジェクタに映像データを提供する１台以上の再生機器とを含むことを特徴とする請求項７から１０のいずれか１項記載の映像観覧システム。
【請求項１３】
前記表示装置は、前記プロジェクタと前記再生機器とを同数備え、前記プロジェクタと前記再生機器とが１対１で接続されることを特徴とする請求項１１又は１２記載の映像観覧システム。
【請求項１４】
前記表示装置は、前記プロジェクタを複数備え、複数の前記プロジェクタの各々から、予め設定された前記表示部の対応する表示領域に映像を投射して、前記表示部に切れ目のない映像を表示するものであることを特徴とする請求項１３記載の映像観覧システム。
【請求項１５】
前記表示装置は、複数の前記プロジェクタの各々から、隣接する前記表示領域同士の端部が重複するように映像を投射し、この際、前記プロジェクタが有するエッジブレンディング機能を用いて、前記表示領域の重複箇所に投射する映像を調整するものであることを特徴とする請求項１４記載の映像観覧システム。
【請求項１６】
前記表示装置は、前記表示部がＬＥＤディスプレイで構成されていることを特徴とする請求項７、８、１０のいずれか１項記載の映像観覧システム。
【請求項１７】
前記観覧フロアの外周の一部に沿って、観覧者が前記観覧フロアに入るための上りのスロープと、観覧者が前記観覧フロアから出るための下りのスロープとが設けられていることを特徴とする請求項２から１６のいずれか１項記載の映像観覧システム。
【請求項１８】
前記観覧ポイントが、外側ほど高い位置に設けられる同心円の複数列状に設けられていることを特徴とする請求項１から１７のいずれか１項記載の映像観覧システム。
【請求項１９】
円形の外縁部が水平面上に配置されると共に、円形の平面部と、該平面部の周囲に配置され、前記円形の外縁部を規定する、外側に向かって上方に湾曲する湾曲部とからなる表示部に対し、前記円形の外縁部と同心円をなすように観覧ポイントを配置して、該観覧ポイントから前記表示部を見下ろす態様で観覧されるように、前記表示部に映像を表示し、この際、映像が表示される範囲と表示されない範囲との境界を、前記湾曲部に、前記境界がぼかされるようにして表示されるよう配置することを特徴とする映像表示方法。
【請求項２０】
前記表示部を表示フロアに設置し、前記観覧ポイントを観覧フロアに設置することを特徴とする請求項１９記載の映像表示方法。
【請求項２１】
前記観覧フロアを前記表示フロアの上層に配置すると共に、前記観覧フロアに前記表示部の円形の外縁部と同心円をなす開口を設けることを特徴とする請求項２０記載の映像表示方法。
【請求項２２】
前記開口の直径を、前記表示部の円形の外縁部の直径以下に形成することを特徴とする請求項２１記載の映像表示方法。
【請求項２３】
前記表示部の円形の外縁部、又は、前記観覧フロアの開口の周縁部に沿って、円形の柵を設置することを特徴とする請求項１９から２２のいずれか１項記載の映像表示方法。
【請求項２４】
表示装置を用いて、前記表示部に映像を表示することを特徴とする請求項１９から２３のいずれか１項記載の映像表示方法。
【請求項２５】
前記表示装置により、前記表示部にドットバイドットで映像を表示することを特徴とする請求項２４記載の映像表示方法。
【請求項２６】
前記表示装置により、前記表示部に映像を表示する際に、前記湾曲部にプロジェクションマッピング技術を利用した映像を表示することを特徴とする請求項２４又は２５記載の映像表示方法。
【請求項２７】
観覧者が前記観覧ポイントから映像を観覧する際の、観覧者の目と前記表示部との間の観覧距離を予め設定し、該観覧距離の１０００分の１以下のドットサイズで構成される映像を、前記表示装置により前記表示部に表示することを特徴とする請求項２４から２６のいずれか１項記載の映像表示方法。
【請求項２８】
前記表示装置を、前記表示部の上方から前記表示部に映像を投射するプロジェクタと、該プロジェクタに映像データを提供する再生機器とを含むように構成し、
前記表示部の大きさと前記ドットサイズとに基づいて、前記表示部に表示する映像の総ドット数を算出し、算出した総ドット数で構成される映像を前記表示部に投射可能な、前記プロジェクタの数量を算出して、算出した数量の前記プロジェクタにより前記表示部に映像を投射することを特徴とする請求項２７記載の映像表示方法。
【請求項２９】
前記表示装置を、前記表示部の上方から前記表示部に映像を投射する複数のプロジェクタと、該複数のプロジェクタに１対１で映像データを提供する、前記複数のプロジェクタと同数の複数の再生機器とを含むように構成し、
前記複数のプロジェクタの各々から、予め設定した前記表示部の対応する表示領域に、隣接する前記表示領域同士の端部が重複するように映像を投射し、この際、前記プロジェクタが有するエッジブレンディング機能を用いて、前記表示領域の重複箇所に投射する映像を調整することを特徴とする請求項２４から２８のいずれか１項記載の映像表示方法。
【発明の詳細な説明】
【技術分野】
【０００１】
本発明は、観覧者の視点の下方に展開される映像を観覧するシステムに係り、特に、観覧者が臨場感を持って映像を観覧できる施設を含む映像観覧システム、及び、該システムに使用される映像表示方法に関する。
【背景技術】
【０００２】
従来、大きなスクリーンを使用して、現場感及び実感がある映像を、観覧者に（仮想空間として）見せるものとして、種々の装置やシステムがある。例えば、代表的には、スクリーンがドーム型のプラネタリウムは周知であり、又、広視野の曲面スクリーンに、複数のプロジェクタから左目用映像と右目用映像からなる分割映像を、互いに一部を重複させながら投影し、立体映像として見せる映像投影システムがある（特許文献１）。スクリーンへの投影方法も、側方だけではなく下方から投影する方法もある（特許文献２）。又、スクリーンを観覧者の下部方向に設けた発明として、例えば、透過型のスクリーンを水平に設置し、スクリーンの下側から反射ミラーを介した映像を投影する表示装置（特許文献３）や、映像投影手段と動揺台とを備え、正面、左面、右面、床面の４つのスクリーンに映像投影手段により映像を投影する臨場感生成装置（特許文献４）がある。
【０００３】
又、よりよい画像を得るための投影技法として、スクリーンだけではなく、建築物や物体、或いは空間等に、映像を映し出す技術（プロジェクションマッピングと呼ばれている）がある。更に、広いスクリーンに投影される画像を明瞭にするために、１つのスクリーンに複数のプロジェクタから、映像の端部が重なり合うように分割映像を投影して、映像の重複部分を補正する技術（エッジブレンディング）や、再生した映像データをディスプレイに表示する際の表示モードの一つとして、映像データの１ピクセルをディスプレイの１ドットに対応させて表示するドットバイドットの方式も、従来、使用されている。
【先行技術文献】
【特許文献】
【０００４】
【特許文献１】特許第３９１８８６０号公報
【特許文献２】特開２００５−２５７９３３号公報
【特許文献３】特開２０００−１２２１７５号公報
【特許文献４】特開２０００−１２２１９３号公報
【発明の概要】
【発明が解決しようとする課題】
【０００５】
臨場感を得るための手段として、３次元映像を表示する方法があるが、この３次元映像を見るためには、一般的に、左右の目に相異なる映像を表示する補助的装置が必要となる。又、動揺台による動きと、映像投影手段により複数のスクリーンに投影する映像とを組み合わせて、臨場感を得る方法もあるが、この方法の場合でも、複雑で大掛かりな装置が必要となる。
本発明は上記課題に鑑みてなされたものであり、その目的とするところは、複雑な装置を用いることなく、複数の観覧者が同等の観覧環境下でかつ同時に、臨場感を得られる映像を表示することにある。
【課題を解決するための手段】
【０００６】
（発明の態様）
以下の発明の態様は、本発明の構成を例示するものであり、本発明の多様な構成の理解を容易にするために、項別けして説明するものである。各項は、本発明の技術的範囲を限定するものではなく、発明を実施するための最良の形態を参酌しつつ、各項の構成要素の一部を置換し、削除し、又は、更に他の構成要素を付加したものについても、本願発明の技術的範囲に含まれ得るものである。
【０００７】
（１）円形の外縁部が水平面上に配置された表示部と、該表示部を見下ろす位置に、前記円形の外縁部と同心円をなすように配置された観覧ポイントとを備える映像観覧システム。
本項に記載の映像観覧システムは、水平面上に配置された円形の外縁部を有する表示部と、観覧ポイントとを備えている。本明細書における「観覧ポイント」とは、表示部に表示される映像を観覧者が観覧する際に適切な観覧環境を得るための、表示部に対する観覧者の目の位置として好適な範囲を示している。そして、本項に記載の映像観覧システムは、この観覧ポイントが、表示部を見下ろす位置に、表示部の円形の外縁部と同心円をなすように、例えば妥当な範囲（高さ、幅）を持った環状に配置されるものである。このため、例えば宇宙空間や深海をイメージした映像等の、臨場感を醸成するにあたり、観覧者による観覧方向に依存しない映像を表示部に表示することにより、観覧ポイント内の、同心円の軸周り方向に関するどの位置からも、観覧者により同等に映像が認識されることとなる。更に、観覧者が複数の場合であっても、複数の観覧者が、表示部の外縁部と同心円をなすように配置された観覧ポイント内に視点を置いた状態で軸周り方向に広がり、表示部を見下ろす姿勢で、表示部に表示される映像を観覧することとなるため、複数の観覧者全員に対して、同時に、同等な観覧環境を提供するものとなる。
【０００８】
（２）上記（１）項において、前記表示部が、円形の平面部と、該平面部の周囲に配置され、前記円形の外縁部を規定する、外側に向かって上方に湾曲する湾曲部とからなり、前記表示部の、映像が表示される範囲と表示されない範囲との境界が、前記湾曲部に、前記境界をぼかすようにして表示するよう配置される映像観覧システム（請求項１）。
本項に記載の映像観覧システムは、表示部が、円形の平面部と、この平面部の周囲に配置された湾曲部とからなるものである。湾曲部は、外側に向かって上方に湾曲した形状であり、その最も外側の縁が、表示部の円形の外縁部を規定している。更に、表示部の、映像が表示される範囲と表示されない範囲との境界が、湾曲部に、その境界をぼかすようにして表示するよう配置されることで、このような境界が観覧者により視認されることを抑制するものとなる。これは、表示部に表示する映像として、例えば、宇宙空間をイメージした角や縁がない映像を表示するような場合に特に有効であり、観覧者に対して、より臨場感のある映像を表示するものとなる。更に、平面部には平面に適した映像を、湾曲部には湾曲面に適した映像を表示することで、表示部の形状を利用した臨場感のある映像を表示するものとなる。
【０００９】
（３）上記（２）項において、前記表示部が設置された表示フロアと、前記観覧ポイントが設置された観覧フロアとを備える映像観覧システム（請求項２）。
本項に記載の映像観覧システムは、表示部が設置された表示フロアと、観覧ポイントが設置された観覧フロアとを備えることで、表示部と観覧ポイントとを、フロア単位で適切な位置関係に配置するものである。又、表示フロアを表示部の設置に適した環境として構築し、観覧フロアを映像の観覧に適した環境として構築するものである。
【００１０】
（４）上記（３）項において、前記観覧フロアが、前記表示フロアの上層に配置され、かつ、前記表示部の円形の外縁部と同心円をなす開口を有している映像観覧システム（請求項３）。
本項に記載の映像観覧システムは、観覧フロアが表示フロアの上層に配置され、更に、観覧フロアに表示部の円形の外縁部と同心円をなす開口が設けられているものである。換言すれば、表示部は、開口の下側に開口と同心円をなして配置される。従って、観覧者は、開口の周りの観覧ポイントから、開口を介して表示部を見下ろす態様で、映像を観覧するように促されることとなる。すなわち、観覧ポイントは、観覧フロアに設けられた開口の周りに、表示部の円形の外縁部と同心円状に配置されることとなる。更に、上層に配置される観覧ポイントから、下層に配置される表示部までの適切な距離が確保されることとなる。このため、観覧ポイントから観覧する観覧者により、表示部の表示面や、映像を構成するドット（画素）が認識されることが抑制される。従って、観覧者に対し、同等な観覧環境を提供すると共に、臨場感のある映像を適切な解像度で表示するものとなる。
【００１１】
（５）上記（４）項において、前記開口の直径が、前記表示部の円形の外縁部の直径以下に形成されている映像観覧システム（請求項４）。
本項に記載の映像観覧システムは、開口の直径が表示部の円形の外縁部の直径以下に形成されることで、開口の周りに配置される観覧ポイントが、表示部の円形の外縁部よりも、同心円の中心軸側に配置される。これにより、開口を介して表示部を見下ろす観覧者に対して、開口よりも径方向外側に配置される表示部の円形の外縁部が、円形の鍔状にせり出す開口縁によって、意図的に覆い隠される。表示部の外縁部は、表示する映像によっては、臨場感を損なう一因となるが、本構成によれば、観覧者が表示部の外縁部を認識することが困難、或いは、認識できなくなる。従って、観覧者に対し、より臨場感のある映像を表示するものとなる。
【００１２】
（６）上記（１）から（５）項において、前記表示部の円形の外縁部、又は、前記観覧フロアの開口の周縁部に沿って、円形の柵が設けられている映像観覧システム（請求項５）。
本項に記載の映像観覧システムは、円形の柵が設けられたものであり、例えば、観覧ポイントと観覧フロアの床面との間に表示部が配置されるような場合には、表示部の円形の外縁部に沿って、又、観覧フロアの開口の下に表示部が配置されるような場合には、開口の周縁部に沿って、円形の柵が設けられる。これにより、観覧者が柵を拠り所として、自ら適当な観覧ポイントを見出すものとなる。すなわち、観覧者は、表示部に表示される映像を観覧する際に、円形の柵に沿った位置から、円形の柵越しに表示部を覗き込むような姿勢となる。このため、観覧者が複数の場合であっても、観覧者の視界に他の観覧者が入ることが抑制され、観覧者に没入感を与えるものとなる。更に、設置される円形の柵の高さを、観覧ポイントを考慮した高さに設定することで、観覧者が映像を観覧する姿勢になったときに、観覧者の視点が自然に置かれるような範囲に、観覧ポイントの配置が促されるものとなる。
【００１３】
（７）上記（２）から（６）項において、前記湾曲部は、外側に向かうにつれて、上方への傾斜角度が徐々に増加する映像観覧システム（請求項６）。
本項に記載の映像観覧システムは、湾曲部の上方への傾斜角度が、外側に向かうにつれて徐々に増加していることで、上記（２）項に記載した表示範囲の境界が観覧者により視認されることを更に抑制し、観覧者に対してより臨場感のある映像を表示するものである。
【００１４】
（８）上記（１）から（７）項において、前記表示部に映像を表示するための表示装置を備える映像観覧システム（請求項７）。
本項に記載の映像観覧システムは、表示部に映像を表示するための表示装置を備えたものである。表示装置として、例えば、表示部に映像を投射するプロジェクタを含む構成のものや、表示部そのものに映像を表示するＬＥＤディスプレイ等が挙げられる。そして、表示部の大きさや形状を考慮した、適切な構成の表示装置を用いることで、表示部に効率よく映像を表示するものである。
【００１５】
（９）上記（８）項において、前記表示装置は、前記表示部にドットバイドットで映像を表示するものである映像観覧システム（請求項８）。
本項に記載の映像観覧システムは、表示装置を用いて、表示部にドットバイドットで映像を表示するものである。ここで、「ドットバイドット」とは、再生機器等により再生した映像データの１ピクセルを、プロジェクタやＬＥＤディスプレイ等の映像を実際に投射或いは表示する装置の、１ドットに対応させる方式である。このドットバイドットの方式を採用することで、映像データに拡大や縮小等の処理を加えずに、そのままの解像度で映像を表示することとなるため、再生した映像データから映像品質を劣化させずに、表示部に映像を表示するものとなる。
【００１６】
（１０）上記（８）（９）項において、前記表示装置は、前記表示部に映像を表示する際に、前記湾曲部にプロジェクションマッピング技術を利用した映像を表示するものである映像観覧システム（請求項９）。
本項に記載の映像観覧システムは、表示装置が表示部に映像を表示する際に、表示部のうちの湾曲部にプロジェクションマッピング技術を利用した映像を表示するものである。ここで、「プロジェクションマッピング」とは、概略的には、プロジェクタ等の映写装置により映像を投射する際に、投射対象の形状と調和するような映像を投射することで、投射対象の形状を利用した空間的な映像を表示させる技術である。すなわち、本項に記載の映像観覧システムは、表示部の湾曲部に、湾曲部の湾曲した形状に調和するような映像を投射し、湾曲形状を利用した空間的な映像を表示することで、観覧者に対して、より臨場感のある映像を表示するものである。
【００１７】
（１１）上記（８）から（１０）項において、前記表示装置は、前記表示部に表示する映像のドットサイズが、観覧者が前記観覧ポイントから映像を観覧する際の、観覧者の目と前記表示部との間の予め設定される観覧距離の、１０００分の１以下である映像観覧システム（請求項１０）。
本項に記載の映像観覧システムは、表示装置が表示部に表示する映像のドットサイズ、すなわち、映像の１ドットの１辺の長さを、観覧者の目と表示部との間の予め設定される観覧距離の、１０００分の１以下としたものである。例えば、観覧者が観覧ポイントから映像を観覧する際の観覧距離が、３ｍに設定されている場合には、表示部に表示する映像のドットサイズを、３ｍの１０００分の１以下である３ｍｍ以下とする。これは、人間の目から映像までの距離と映像のドットサイズとの関係として、例えば、距離が１ｍの場合はドットサイズが１ｍｍ以下、距離が２ｍの場合はドットサイズが２ｍｍ以下であれば、人間が映像をドット単位で視認することはない、という、当業者の間で演出上好ましいとされる判断基準に基づくものである。これにより、観覧ポイントから観覧する観覧者によって、表示部に表示する映像がドット単位で視認されることを抑制することとなり、観覧者に対して更なる没入感を与えるものである。更に、表示部に表示する映像のドットサイズは、観覧ポイントから観覧する観覧者の観覧距離に基づいて設定されるため、観覧ポイントと表示部との位置関係や、表示部の大きさに関わらず、観覧ポイントから観覧する観覧者に対して、常に同程度の画質で視認される映像を表示するものとなる。
【００１８】
（１２）上記（１１）項において、前記表示装置は、前記表示部の大きさと前記ドットサイズとに基づいて算出された総ドット数で構成される映像を、前記表示部に投射可能な数量の、前記表示部の上方から前記表示部に映像を投射するプロジェクタと、該プロジェクタに映像データを提供する再生機器とを含む映像観覧システム（請求項１１）。
本項に記載の映像観覧システムは、表示装置が、表示部の上方から表示部に映像を投射するプロジェクタと、このプロジェクタに映像データを提供する再生機器とを含むものである。そして、表示装置が含むプロジェクタの数量は、表示部の大きさと、上記（１１）項に記載した映像のドットサイズとに基づいて算出された総ドット数で構成される映像を、表示部に投射することが可能な数量である。例えば、表示部の大きさから、表示部の実際に映像を表示する領域の全体を含む大きさの矩形領域が設定され、更に、この矩形領域を上述したドットサイズで分割して、総ドット数が算出される。そして、算出された総ドット数と、表示装置に用いるプロジェクタの１台あたりの解像度とから、算出された総ドット数で構成される映像を投射するのに必要なプロジェクタの数量が算出される。本項に記載の映像観覧システムは、表示装置が、このように算出された数量のプロジェクタを含むものであるため、観覧者に対して臨場感や没入感を与える映像を、適切な構成で効率よく表示するものとなる。
【００１９】
（１３）上記（８）から（１１）項において、前記表示装置は、前記表示部の上方から前記表示部に映像を投射する１台以上のプロジェクタと、該プロジェクタに映像データを提供する１台以上の再生機器とを含む映像観覧システム（請求項１２）。
本項に記載の映像観覧システムは、表示装置が、表示部の上方から表示部に映像を投射する１台以上のプロジェクタと、このプロジェクタに映像データを提供する１台以上の再生機器とを含むものである。プロジェクタの投射領域は、通常は矩形であるため、表示部に円形の映像を投射するような場合には、プロジェクタのマスク機能を用いて投射領域を制限する。又、表示部が湾曲部等の湾曲面を有するような場合は、その湾曲面にプロジェクションマッピング技術を利用した映像を投射する。これにより、観覧者に対して臨場感や没入感を与える映像を表示するものである。
【００２０】
（１４）上記（１２）（１３）項において、前記表示装置は、前記プロジェクタと前記再生機器とを同数備え、前記プロジェクタと前記再生機器とが１対１で接続される映像観覧システム（請求項１３）。
本項に記載の映像観覧システムは、表示装置が、プロジェクタと再生機器とを同数備え、更に、プロジェクタと再生機器とが１対１で接続されているものである。このような構成により、１台の再生機器から提供された映像データが、１台のプロジェクタから投射されることとなるため、プロジェクタと再生機器とが異なる数量の構成と比較して、映像データの管理や投射する映像の調整が容易になる。更に、１台の再生機器から提供する映像データの画素数と、１台のプロジェクタの解像度とが一致する構成とすることで、ドットバイドットでの表示を容易に実現するものとなる。
【００２１】
（１５）上記（１４）項において、前記表示装置は、前記プロジェクタを複数備え、複数の前記プロジェクタの各々から、予め設定された前記表示部の対応する表示領域に映像を投射して、前記表示部に切れ目のない映像を表示するものである映像観覧システム（請求項１４）。
本項に記載の映像観覧システムは、表示装置が、複数のプロジェクタと、プロジェクタと同数の複数の再生機器とを備え、プロジェクタと再生機器とが１対１で接続されているものである。そして、複数の再生機器で映像を同期再生し、複数のプロジェクタの各々から、予め設定された表示部の対応する表示領域に映像を投射して、表示部に切れ目のない映像を表示する。すなわち、各プロジェクタには、映像を投射する表示領域が表示部の一部に予め設定されており、これらの表示領域は、複数のプロジェクタから複数の表示領域に映像を投射したときに、表示部に切れ目のない映像が表示されるように設定されている。従って、表示面積が大きい表示部に映像を表示するような場合であっても、複数のプロジェクタを用いて、臨場感のある自然な映像を表示するものとなる。
【００２２】
（１６）上記（１５）項において、前記表示装置は、複数の前記プロジェクタの各々から、隣接する前記表示領域同士の端部が重複するように映像を投射し、この際、前記プロジェクタが有するエッジブレンディング機能を用いて、前記表示領域の重複箇所に投射する映像を調整するものである映像観覧システム（請求項１５）。
本項に記載の映像観覧システムは、表示装置が、複数のプロジェクタから映像を投射する際に、各プロジェクタの隣接する表示領域同士の端部が重複するように映像を投射する。すなわち、各プロジェクタには、隣接する表示領域と端部同士が重複するように、表示領域が設定されている。そして、本項の表示装置は、このような表示領域の重複箇所に、プロジェクタが有するエッジブレンディング機能を用いて調整した映像を投射する。これにより、表示部に切れ目のない映像を表示すると共に、隣接する表示領域に表示する映像同士を、つなぎ目が目立たないように接合して表示するものである。
【００２３】
（１７）上記（８）（９）（１１）項において、前記表示装置は、前記表示部がＬＥＤディスプレイで構成されている映像観覧システム（請求項１６）。
本項に記載の映像観覧システムは、表示装置が、表示部を構成するＬＥＤディスプレイを含むものである。これにより、ＬＥＤディスプレイで表示部に直接映像を表示するものでありながら、上記（８）（９）（１１）項と同等の作用を奏するものである。
【００２４】
（１８）上記（３）から（１７）項において、前記観覧フロアの外周の一部に沿って、観覧者が前記観覧フロアに入るための上りのスロープと、観覧者が前記観覧フロアから出るための下りのスロープとが設けられている映像観覧システム（請求項１７）。
本項に記載の映像観覧システムは、観覧者が観覧フロアに入るための上りのスロープと、観覧者が観覧フロアから出るための下りのスロープとが設けられているものである。これにより、観覧ポイントが設置された観覧フロアが高い位置に設けられている場合であっても、フロア間の高低差をスロープでつなぐことで、観覧者がスムーズかつ容易に観覧フロアに出入りするものである。更に、上り及び下りのスロープが、観覧フロアの外周の一部に沿って設けられていることで、観覧者の観覧フロアに対するアプローチの形状に合わせた省スペース化を図るものとなる。
【００２５】
（１９）上記（１）から（１８）項において、前記観覧ポイントが、外側ほど高い位置に設けられる同心円の複数列状に設けられている映像観覧システム（請求項１８）。
本項に記載の映像観覧システムは、観覧ポイントが、外側ほど高い位置に設けられる同心円の複数列状に設けられているものである。例えば、観覧ポイントが観覧フロアに設置される場合には、表示部の円形の外縁部と同心円をなすように、外側ほど高い位置となる環状の複数列の段を、観覧フロアに設ける。これにより、環状の複数列の段の各々に、各段から表示部に表示される映像を観覧者が適切に観覧するための、観覧ポイントが配置される。この構成により、更に多くの観覧者に対して同時に、かつ、同一段の観覧者に対して同等な、観覧環境を提供するものとなる。又、外側の段ほど観覧ポイントから表示部までの距離が遠くなることで、観覧者により映像を構成するドットが認識されることを更に抑制し、臨場感のある映像を表示するものとなる。
【００２６】
（２０）円形の外縁部が水平面上に配置されると共に、円形の平面部と、該平面部の周囲に配置され、前記円形の外縁部を規定する、外側に向かって上方に湾曲する湾曲部とからなる表示部に対し、前記円形の外縁部と同心円をなすように観覧ポイントを配置して、該観覧ポイントから前記表示部を見下ろす態様で観覧されるように、前記表示部に映像を表示し、この際、映像が表示される範囲と表示されない範囲との境界を、前記湾曲部に、前記境界がぼかされるようにして表示されるよう配置する映像表示方法（請求項１９）。
（２１）上記（２０）項において、前記表示部を表示フロアに設置し、前記観覧ポイントを観覧フロアに設置する映像表示方法（請求項２０）。
（２２）上記（２１）項において、前記観覧フロアを前記表示フロアの上層に配置すると共に、前記観覧フロアに前記表示部の円形の外縁部と同心円をなす開口を設ける映像表示方法（請求項２１）。
【００２７】
（２３）上記（２２）項において、前記開口の直径を、前記表示部の円形の外縁部の直径以下に形成する映像表示方法（請求項２２）。
（２４）上記（２０）から（２３）項において、前記表示部の円形の外縁部、又は、前記観覧フロアの開口の周縁部に沿って、円形の柵を設置する映像表示方法（請求項２３）。
（２５）上記（２０）から（２４）項において、表示装置を用いて、前記表示部に映像を表示する映像表示方法（請求項２４）。
【００２８】
（２６）上記（２５）項において、前記表示装置により、前記表示部にドットバイドットで映像を表示する映像表示方法（請求項２５）。
（２７）上記（２５）（２６）項において、前記表示装置により、前記表示部に映像を表示する際に、前記湾曲部にプロジェクションマッピング技術を利用した映像を表示する映像表示方法（請求項２６）。
そして、（２０）から（２７）項に記載の映像表示方法は、各々、上記（２）から（６）及び（８）から（１０）項に記載の映像観覧システムを用いて、各種の映像の表示を実行することで、上記（２）から（６）及び（８）から（１０）項に対応する同等の作用を奏するものである。
【００２９】
（２８）上記（２５）から（２７）項において、観覧者が前記観覧ポイントから映像を観覧する際の、観覧者の目と前記表示部との間の観覧距離を予め設定し、該観覧距離の１０００分の１以下のドットサイズで構成される映像を、前記表示装置により前記表示部に表示する映像表示方法（請求項２７）。
本項に記載の映像表示方法は、表示部の円形の外縁部と同心円をなすように配置した観覧ポイントから、表示部に表示される映像を観覧者が観覧する際の、観覧者の目と表示部との間の観覧距離を予め設定する。この観覧距離として、例えば、観覧者が観覧ポイントから表示部を見下ろす際の、観覧者の目の位置から表示部までの鉛直距離を設定する。更に、上記（１１）項に記載した判断基準に基づき、設定した観覧距離から、観覧距離の１０００分の１以下の大きさの、表示部に表示する映像のドットサイズを算出する。そして、算出したドットサイズで構成した映像を、表示装置により表示部に表示するものである。これにより、上記（１１）項に記載した映像観覧システムに対応する、同等の作用を奏するものである。
【００３０】
（２９）上記（２８）項において、前記表示装置を、前記表示部の上方から前記表示部に映像を投射するプロジェクタと、該プロジェクタに映像データを提供する再生機器とを含むように構成し、前記表示部の大きさと前記ドットサイズとに基づいて、前記表示部に表示する映像の総ドット数を算出し、算出した総ドット数で構成される映像を前記表示部に投射可能な、前記プロジェクタの数量を算出して、算出した数量の前記プロジェクタにより前記表示部に映像を投射する映像表示方法（請求項２８）。
本項に記載の映像表示方法は、表示部の大きさと、上記（２８）項に記載したように算出したドットサイズとに基づいて、表示部に表示する映像の総ドット数を算出する。例えば、表示部全体に映像を表示する場合には、算出したドットサイズのドットにより、表示部の円形の外縁部を内側に含むような大きさの矩形の映像を構成する際の、総ドット数を算出する。
【００３１】
次に、算出した総ドット数で構成される映像を、表示部の上方から表示部に投射することが可能な、プロジェクタの数量を算出する。このプロジェクタの数量は、表示装置に用いるプロジェクタの解像度に応じて、必要数量を算出する。そして、算出した数量のプロジェクタと、プロジェクタに映像データを提供する再生機器とを含むように表示装置を構成し、このように構成した表示装置のプロジェクタにより、表示部に映像を投射する。本項に記載の映像表示方法は、上述したように映像を表示することで、上記（１２）項に記載した映像観覧システムに対応する、同等の作用を奏するものである。
【００３２】
（３０）上記（２５）から（２９）項において、前記表示装置を、前記表示部の上方から前記表示部に映像を投射する複数のプロジェクタと、該複数のプロジェクタに１対１で映像データを提供する、前記複数のプロジェクタと同数の複数の再生機器とを含むように構成し、前記複数のプロジェクタの各々から、予め設定した前記表示部の対応する表示領域に、隣接する前記表示領域同士の端部が重複するように映像を投射し、この際、前記プロジェクタが有するエッジブレンディング機能を用いて、前記表示領域の重複箇所に投射する映像を調整する映像表示方法（請求項２９）。
【００３３】
本項に記載の映像表示方法は、表示部の上方から表示部に映像を投射する複数のプロジェクタと、これら複数のプロジェクタに１対１で映像データを提供する、複数のプロジェクタと同数の複数の再生機器とを含むように、表示装置を構成する。そして、各プロジェクタに対して、映像を投射する表示領域を、隣接する表示領域同士の端部が重複するように設定する。そして、このように設定した表示領域に、複数のプロジェクタの各々から映像を投射し、この際、プロジェクタが有するエッジブレンディング機能を用いて、表示領域の重複箇所に投射する映像を調整するものである。これにより、上記（１６）項に記載した映像観覧システムに対応する、同等の作用を奏するものである。
【発明の効果】
【００３４】
本発明はこのように構成したので、複雑な装置を用いることなく、複数の観覧者が同等の観覧環境下でかつ同時に、臨場感を得られる映像を表示することが可能となる。
【図面の簡単な説明】
【００３５】
【図１】本発明の実施の形態に係る映像観覧システムを概略的に示す断面イメージ図である。
【図２】図１の映像観覧システムの平面図である。
【図３】図１の映像観覧システムが備える表示装置の構成を概略的に示すブロック図である。
【図４】表示部に表示する映像を説明するための平面イメージ図である。
【図５】本発明の実施の形態に係る映像表示方法を概略的に示すフロー図である。
【図６】観覧距離を説明するための断面イメージ図である。
【図７】ドットサイズを説明するためのイメージ図である。
【発明を実施するための形態】
【００３６】
以下、本発明の実施の形態を図面に基づき説明する。ここで、従来技術と同一部分、若しくは相当する部分については同一符号で示し、詳しい説明を省略する。
図１は、本発明の実施の形態に係る映像観覧システム１０の、中心軸Ｃを通る断面イメージ図であり、図２は、同じく映像観覧システム１０の平面図である。図示のように、映像観覧システム１０は、映像が表示される表示部１２と、この表示部１２に表示される映像を観賞するための観覧ポイント１４とを備えている。そして、図１、２の例では、表示部１２が設置された表示フロア１６の上層に、観覧ポイント１４が設けられた観覧フロア１８が配置されており、表示部１２を見下ろす位置に観覧ポイント１４が設けられている。
【００３７】
表示部１２は、中心軸Ｃを中心とする円形の平面部１２ｂと、平面部１２ｂの周囲に連続して配置された湾曲部１２ｃとで構成されており、図２の境界線Ｌ１が、これら平面部１２ｂと湾曲部１２ｃとの境界を示している。そして、図１で確認できるように、湾曲部１２ｃは、外側（図中右側及び左側）に向かうにつれて徐々に傾斜角度を増しながら、上方へ湾曲しており、この湾曲部１２ｃの上端により、水平面上に配置され、中心軸Ｃを中心とする、表示部１２の円形の外縁部１２ａが規定されている。
【００３８】
観覧フロア１８には、円形の外縁部１２ａの直径ｄ１２よりも小さい直径ｄ２０を有し、中心軸Ｃを中心とする、円形の開口２０が形成されている。又、この開口２０の周縁部２０ａに沿って、円形の柵２２が設けられている。そして、図１、２の例では、観覧ポイント１４が、円形の柵２２の上端部（図１上方の端部）に沿うようにして、中心軸Ｃを中心とする環状に配置されている。すなわち、表示部１２の円形の外縁部１２ａと、観覧フロア１８の開口２０と、観覧ポイント１４とは、中心軸Ｃを中心とする同心円状に配置されており、更に、観覧ポイント１４が、表示部１２の円形の外縁部１２ａよりも中心軸Ｃ側に配置されている。このため、図１に示すように、観覧者Ｈは、表示部１２の円形の外縁部１２ａから中心軸Ｃ側に、円形の鍔状にせり出た開口縁２０ｂ上に立ち、観覧ポイント１４から表示部１２を見下ろす態様で、表示部１２に表示される映像を観覧することとなる。
【００３９】
又、映像観覧システム１０は、下層から、上層の観覧フロア１８の入口１８ａまで達する上りのスロープ４０と、上層の観覧フロア１８の出口１８ｂから、下層まで達する下りのスロープ４２とを備えている。図２で確認できるように、上りのスロープ４０は、観覧フロア１８の外周に沿って設けられており、下りのスロープ４２は、踊り場４４を介して折り返すような構造で、折り返し前の前半部分が観覧フロア１８の外周に沿って、折り返し後の後半部分が前半部分の外周に沿って設けられている。
【００４０】
更に、映像観覧システム１０は、表示部１２に映像を表示するための、図３に示すような構成を含む表示装置３０を備えている。表示装置３０は、複数のプロジェクタ３２と、プロジェクタ３２と同数の複数の再生機器３４とを含んでおり、プロジェクタ３２と再生機器３４とが１対１で接続されている。詳しくは後述するが、プロジェクタ３２や再生機器３２の数量は、表示部１２に表示する映像に応じて、適切な数量が設定可能であり、例えば、各１２台の構成とすることもできる。なお、図１、２においては、表示装置３０の図示を省略しており、その構成の一部である４台のプロジェクタ３２のみを、図１に示している。
【００４１】
複数のプロジェクタ３２は、例えば、図１に示すように、観覧フロア１８の天井に設置され、観覧フロア１８の下層の表示フロア１６に設置された表示部１２に、表示部１２の上方から、観覧フロア１８の開口２０を介して映像を投射するものである。そして、上述したように、表示部１２は、外側に向かって上方に湾曲し、円形の外縁部１２ａを規定する湾曲部１２ｃを有しており、又、観覧フロア１８の開口２０は、その直径ｄ２０が円形の外縁部１２ａの直径ｄ１２よりも小さく形成されている。このため、図１で確認できるように、湾曲部１２ｃの、境界線Ｌ２よりも円形の外縁部１２ａ側に、プロジェクタ３２により映像が投射されない領域が発生する。これは、プロジェクタ３２が、開口２０を介して表示部１２の上方から映像を投射していることから、プロジェクタ３２の設置高さや開口２０の直径ｄ２０の大きさの制約を受けて、投射領域が制限されるためである。そして、上方から投射した場合の投射領域は、下方になるほど広がるため、境界線Ｌ２は、円形の開口２０よりも大きい円形に形成される。
【００４２】
又、複数の再生機器３４は、１対１で接続されたプロジェクタ３２の各々に、再生した映像データを提供するものである。これらの再生機器３４とプロジェクタ３２とに、再生機器３４の出力画素数と、プロジェクタ３２の解像度とが等しい組み合わせのものを用いることで、再生機器３４から提供される映像データに基づく映像を、プロジェクタ３２から表示部１２にドットバイドットで表示する。又、複数の再生機器３４の各々により、１つの大きな映像の、互いに異なる部分的な映像を同期再生して、各プロジェクタ３２に提供することで、複数のプロジェクタ３２から投射する映像が組み合わさり、１つの大きな映像が表示部１２に表示されるようにする。
【００４３】
ここで、表示装置３０により表示部１２に表示する映像について、更に詳しく説明する。図４は、表示部１２に表示する映像を説明するためのイメージ図であり、図４には、プロジェクタ３２を１２台用いた場合の、各プロジェクタ３２に設定される表示領域を、平面視した表示部１２と共に示している。なお、本説明では、便宜上、１２台の各プロジェクタ３２に設定された表示領域を、行及び列を示す符号ｃ１〜ｃ４及びｒ１〜ｒ３を用いて示すこととする。具体的には、例えば、図４左上の表示領域を表示領域ｃ１ｒ１、その右隣の表示領域を表示領域ｃ１ｒ２、図４右下の表示領域を表示領域ｃ４ｒ３のように示す。
【００４４】
表示装置３０は、１２台のプロジェクタ３２により表示部１２に映像を投射する際に、図４に示すように、１２個の表示領域に投射する１２個の映像を組み合わせて、１つの大きな映像を表示する。プロジェクタ３２の表示領域は、夫々が等しい大きさの矩形に設定されると共に、隣接する表示領域同士の端部が重複して設定されている。例えば、表示領域ｃ１ｒ１は、右端部が右隣の表示領域ｃ１ｒ２と重複しており、下端部が下側の表示領域ｃ２ｒ１と重複している。又、表示領域ｃ３ｒ２は、上下左右の端部が、夫々、表示領域ｃ２ｒ２、ｃ４ｒ２、ｃ３ｒ１、ｃ３ｒ３と重複している。
【００４５】
一方、上述したように、境界線Ｌ２の外側は、映像が投射されない領域である。このため、プロジェクタ３２により実際に映像を投射する際には、プロジェクタ３２のマスク機能を利用して、各プロジェクタ３２に設定されている表示領域のうち、境界線Ｌ２よりも内側の領域のみに映像を投射する。従って、例えば、表示領域ｃ１ｒ１が設定されているプロジェクタ３２により、実際に映像を投射する領域は、表示領域ｃ１ｒ１のうち、境界線Ｌ２よりも図中右下側の、略扇形の領域となる。又、表示領域ｃ１ｒ２が設定されているプロジェクタ３２により、実際に映像を投射する領域は、表示領域ｃ１ｒ２のうち、境界線Ｌ２よりも図中下側の、矩形の一辺が弓なりに膨らんだ形状の領域となる。一方、表示領域ｃ２ｒ２及びｃ３ｒ２は、全体が境界線Ｌ２の内側であるため、これら２つの表示領域が設定されているプロジェクタ３２により映像を投射する領域は、プロジェクタ３２のマスク機能により制限する必要はなく、設定された表示領域全体となる。
【００４６】
そして、表示装置３０は、１２台のプロジェクタ３２により映像を投射する際に、境界線Ｌ２の内側の、表示領域が重複している箇所（図４中斜線で示す箇所）には、プロジェクタ３２が有するエッジブレンディング機能を用いて調整した映像を投射する。例えば、表示領域ｃ１ｒ１が設定されているプロジェクタ３２と、表示領域ｃ１ｒ２が設定されているプロジェクタ３２とは、表示領域の重複箇所ａｒ１に、互いが投射する映像が調和するようにエッジブレンディング機能により調整した映像を投射する。同様に、表示領域ｃ１ｒ１と表示領域ｃ２ｒ１との重複箇所ａｒ２には、表示領域ｃ１ｒ１が設定されているプロジェクタ３２と、表示領域ｃ２ｒ１が設定されているプロジェクタ３２とにより、互いの映像が調和するようにエッジブレンディング機能により調整された映像が投射される。又、表示領域ｃ１ｒ１、ｃ１ｒ２、ｃ２ｒ１、ｃ２ｒ２の４つの表示領域の重複箇所ａｒ３には、４つの各表示領域が設定されているプロジェクタ３２により、互いの映像が調和するようにエッジブレンディング機能により調整された映像が投射される。
【００４７】
更に、表示装置３０は、境界線Ｌ２の内側かつ境界線Ｌ１の外側の領域（図４中ドットで示す領域）、すなわち、湾曲部１２ｃの境界線Ｌ２よりも内側の領域に、プロジェクションマッピング技術を利用した映像を表示する。具体的には、１２台のプロジェクタ３２のうち、表示領域ｃ２ｒ２及びｃ３ｒ２が設定されている２台のプロジェクタ３２を除く、１０台のプロジェクタ３２により、各プロジェクタ３２に設定されている表示領域内の湾曲部１２ｃに、プロジェクションマッピング技術を利用して、湾曲部１２ｃの形状に調和した映像を投射する。この際、更に、境界線Ｌ２近傍に投射する映像を、エッジブレンディング機能により調整することで、映像の表示領域と非表示領域との境界を目立たなくさせることとしてもよい。
【００４８】
なお、図１及び図２に示した映像観覧システム１０は、表示部１２が設置された表示フロア１６の上層に、観覧ポイント１４が設置された観覧フロア１８が配置された構造であるが、本発明の実施の形態に係る映像観覧システムは、これに限定されるものではない。例えば、表示フロアを設けずに、観覧フロアの床面より少し高い位置に円卓状の表示部を設置し、表示部の円形の外縁部に沿って円形の柵を設けた構造であってもよい。このような構造であっても、適切な観覧環境が得られるような範囲に観覧ポイントが配置され、観覧者は、観覧ポイントから表示部を見下ろす態様で、表示部に表示される映像を観覧することとなる。
【００４９】
次に、上述した映像観覧システム１０を用いた、本発明の実施の形態に係る映像表示方法について、図５に示したフロー図に沿って説明する。本説明に際しては、必要に応じて、適宜、図１〜図４を参照することとする。
Ｓ１０（表示部の形状・大きさ決定）：映像観覧システム１０を構築する場所の広さ等を考慮して、表示部１２の形状や大きさを決定する。例えば、図１、２に示したような、平面部１２ｂと湾曲部１２ｃとからなり、直径ｄ１２の円形の外縁部１２ａを有する表示部１２に決定する。
【００５０】
Ｓ２０（観覧ポイント設定）：表示部１２に表示される映像を観覧するための観覧ポイント１４を設定する。例えば、図１、２の例のように、円形の柵２２の周囲に立った観覧者Ｈの視点高さを基準にして、観覧ポイント１４を設定する。又、円形の柵２２の高さを図１の例よりも低くし、更に、円形の柵２２の周囲に座席を設置して、座席に座った状態の観覧者Ｈの視点高さを基準に、観覧ポイント１４を設定してもよい。ここでは、観覧者Ｈが立った状態で映像を観覧するものとして、図１、２に示したような、表示部１２との位置関係の場所に、観覧ポイント１４を設定したものとする。
【００５１】
Ｓ３０（観覧距離設定）：観覧ポイント１４から映像を観覧する際の、基準となる観覧距離を設定する。図６には、図１の観覧ポイント１４付近の拡大図を示している。図示のように、観覧者Ｈが、表示部１２に表示される映像を観覧ポイント１４から観覧する際の、観覧距離ｄｖを設定する。この観覧距離ｄｖは、例えば、観覧ポイント１４から観覧者Ｈが表示部１２を見下ろす際の、観覧者Ｈの目の位置から表示部１２の平面部１２ｂまでの、鉛直距離を設定する。ここでは、観覧フロア１８の床面からの観覧者Ｈの目の高さを１．５ｍ、観覧フロア１８の床面から、表示部１２の平面部１２ｂまでの鉛直距離を１．５ｍとして、観覧距離ｄｖが３ｍに設定されたものとする。
【００５２】
Ｓ４０（ドットサイズ決定）：表示部１２に表示する映像のドットサイズを決定する。図７は、表示部１２に表示する映像の一部を、ドットサイズが確認できる大きさで示したイメージ図である。本説明におけるドットサイズは、図７に示すような１ドットの縦及び横の大きさｘを示している。ここで、ドットサイズｘを決定する指標について説明する。概して、視力１．０の人間は、３ｍ先にある１ｍｍ程度の大きさのものを認識できるとされている。一方、表示部１２に表示される映像は、複数のドットにより構成される映像であるため、このような映像のドットの境界を認識させないようにするためには、人間の目から映像までの距離が１ｍの場合に、映像を構成するドットサイズが１ｍｍ以下、距離が２ｍの場合はドットサイズが２ｍｍ以下、距離が３ｍの場合はドットサイズが３ｍｍ以下、すなわち、ドットサイズが距離の１０００分の１以下であればよいという、当業者の間での判断基準（経験則）がある。これに基づき、本工程で決定するドットサイズｘは、上記Ｓ３０で設定した観覧距離ｄｖの、１０００分の１以下とする。ここでは、観覧距離ｄｖが３ｍに設定されたものとして、ドットサイズｘを３ｍｍに決定する。なお、本発明者らによる鋭意研究の結果、ドットサイズｘは、観覧距離ｄｖの１０００分の１以下で値を下げ続けたとしても、一般的な肉眼視によるドットの境界の視認性に大差は出ないことが確認されているが、ドットにより映像を構成することを考慮し、ドットサイズｘの値は、０より大きくかつ観覧距離ｄｖの１０００分の１以下の適切な値を採用することとする。
【００５３】
Ｓ５０（映像の総ドット数算出）：上記Ｓ１０で決定した表示部１２の大きさと、上記Ｓ４０で決定したドットサイズｘとに基づいて、表示部１２に表示する映像の総ドット数を算出する。例えば、表示部１２の円形の外縁部１２ａの直径ｄ１２（図２参照）が１３ｍ、ドットサイズｘが３ｍｍである場合は、４３３４×４３３４ドット以上の総ドット数であれば、表示部１２全体に映像を表示できることになる。ここでは、説明の便宜上、表示部１２に表示する映像の総ドット数を、図４に示すｈｎ×ｗｎドットとして、以降の説明を続ける。
【００５４】
Ｓ６０（プロジェクタ数量算出）：上記Ｓ５０で算出した総ドット数で構成される映像を表示部１２に投射可能な、プロジェクタ３２の数量を算出する。この際、プロジェクタ３２の隣接する表示領域同士の一部を重複させることを考慮して算出する。必要なプロジェクタ３２の数量は、１台のプロジェクタ３２により投射する映像のドット数に依存するが、ここでは、図４に示すように、総ドット数ｈｎ×ｗｎドットで構成される映像を、表示部１２に表示可能なプロジェクタ３２の数量として、１２台が算出されたものとする。そして、表示装置３０を図３に示したような構成とする場合には、プロジェクタ３２の数量が１２台に決定されたことで、プロジェクタ３２に１対１で接続される再生機器３４の数量も１２台に決定される。
なお、決定した数量のプロジェクタ３２により投射する映像の総ドット数は、必ずしも上記Ｓ５０で算出した総ドット数ｈｎ×ｗｎドットと等しくなくてもよく、ｈｎ×ｗｎドットより大きければよい。すなわち、表示装置３０に用いるプロジェクタ３２の解像度や、プロジェクタ３２の隣接する表示領域同士の重複箇所の大きさ等に応じて、ｈｎ×ｗｎドット以上の適切な総ドット数の映像を投射できればよい。
【００５５】
Ｓ７０（各構成要素の設置）：上記Ｓ１０〜Ｓ６０で決定した内容に基づいて、図１、２に示すように、映像観覧システム１０の各構成要素を設置する。この際、例えば、プロジェクタ３２等は、実際に映像を投射しながら設置位置を調整することとしてもよい。
【００５６】
Ｓ８０（映像表示）：１２台の再生機器３４により同期再生を行い、１２台のプロジェクタ３２により、上方から表示部１２に同期再生した映像を投射することで、表示部１２に１つの大きな映像を表示する。表示する映像は、上記Ｓ４０で設定した３ｍｍのドットサイズで構成された映像であり、又、プロジェクタ３２のマスク機能を用いて表示領域を制限した円形の映像である。この際、再生機器３４とプロジェクタ３２とに、再生機器３４の出力画素数と、プロジェクタ３２の解像度とが等しい組み合わせのものを用い、更に、プロジェクタ３２と再生機器３４とを１対１で接続することで、再生機器３４で再生した映像から画素数を変化させずに、プロジェクタ３２から映像を投射して、表示部１２にドットバイドットで映像を表示する。又、表示部１２の湾曲部１２ｃには、プロジェクションマッピング技術を利用した映像を投射し、更に、プロジェクタ３２の表示領域が重複する箇所には、エッジブレンディング機能を用いて調整した映像を投射する。
【００５７】
そして、上述した方法で表示された映像は、図１に示すように、円形の柵２２の周りに立つ観覧者Ｈに、観覧ポイント１４から表示部１２を見下ろす態様で観覧されることとなる。なお、表示部１２に表示する映像としては、例えば、宇宙、深海、世界遺産等をテーマにした映像が挙げられる。又、表示する映像のテーマに応じて、表示部の形状を、例えば、六角形や八角形等の多角形の外縁部を有する形状に変更することとしてもよい。
【００５８】
さて、上記構成をなす本発明の実施の形態によれば、次のような作用効果を得ることが可能である。すなわち、本発明の実施の形態に係る映像観覧システム１０は、図１及び図２に示すように、水平面上に配置された円形の外縁部１２ａを有する表示部１２と、観覧ポイント１４とを備えている。そして、図１及び図２の映像観覧システム１０は、観覧ポイント１４が、表示部１２を見下ろす位置に、表示部１２の円形の外縁部１２ａと同心円をなすように、環状に配置されている。このため、例えば宇宙空間をイメージした映像等の、臨場感を醸成するにあたり、観覧者Ｈによる観覧方向に依存しない映像を表示部１２に表示することにより、観覧ポイント１４内の、同心円の軸Ｃ周り方向に関するどの位置からも、観覧者Ｈに対して同等に映像を認識させることができる。更に、観覧者Ｈが複数の場合であっても、複数の観覧者Ｈが、表示部１２の外縁部１２ａと同心円をなすように配置された観覧ポイント１４内に視点を置いた状態で軸Ｃ周り方向に広がり、表示部１２を見下ろす姿勢で、表示部１２に表示される映像を観覧することとなるため、複数の観覧者Ｈ全員に対して、同時に、同等な観覧環境を提供することが可能となる。
【００５９】
又、映像観覧システム１０は、表示部１２が設置された表示フロア１６と、観覧ポイント１４が設置された観覧フロア１８とを備えることで、表示部１２と観覧ポイント１４とを、フロア単位で適切な位置関係に配置することができると共に、表示フロア１６を表示部１２の設置に適した環境として構築し、観覧フロア１８を映像の観覧に適した環境として構築することができる。
【００６０】
又、図１及び図２の映像観覧システム１０は、観覧フロア１８が表示フロア１６の上層に配置され、更に、観覧フロア１８に表示部１２の円形の外縁部１２ａと同心円をなす開口２０が設けられているものである。換言すれば、表示部１２は、開口２０の下側に開口２０と同心円をなして配置される。従って、観覧者Ｈに対し、開口２０の周りの観覧ポイント１４から、開口２０を介して表示部１２を見下ろす態様で、映像を観覧するように促すことができる。すなわち、観覧ポイント１４は、観覧フロア１８に設けられた開口２０の周りに、表示部１２の円形の外縁部１２ａと同心円状に配置されることとなる。更に、上層に配置される観覧ポイント１４から、下層に配置される表示部１２までの適切な距離を確保することができる。このため、観覧ポイント１４から観覧する観覧者Ｈにより、表示部１２の表示面や、映像を構成するドット（画素）が認識されることを抑制できる。従って、観覧者Ｈに対し、同等な観覧環境を提供すると共に、臨場感のある映像を適切な解像度で表示することが可能となる。
【００６１】
更に、本発明の実施の形態に係る映像観覧システム１０は、開口２０の直径ｄ２０が表示部１２の円形の外縁部１２ａの直径ｄ１２以下に形成されることで、開口２０の周りに配置される観覧ポイント１４が、表示部１２の円形の外縁部１２ａよりも、同心円の中心軸Ｃ側に配置される。これにより、開口２０を介して表示部１２を見下ろす観覧者Ｈに対して、開口２０よりも径方向外側に配置される表示部１２の円形の外縁部１２ａが、円形の鍔状にせり出す開口縁２０ｂによって、意図的に覆い隠される。表示部１２の外縁部１２ａは、表示する映像によっては、臨場感を損なう一因となるが、図１に示すような構成によれば、観覧者Ｈが表示部１２の外縁部１２ａを認識することが困難、或いは、認識できなくなる。従って、観覧者Ｈに対し、より臨場感のある映像を表示することができる。
【００６２】
又、図１及び図２の映像観覧システム１０は、開口２０の周縁部２０ａに沿って、円形の柵２２が設けられたものである。これにより、観覧者Ｈが柵２２を拠り所として、自ら適当な観覧ポイント１４を見出すものとなる。すなわち、観覧者Ｈは、表示部１２に表示される映像を観覧する際に、円形の柵２２に沿った位置から、円形の柵２２越しに表示部１２を覗き込むような姿勢となる。このため、観覧者Ｈが複数の場合であっても、観覧者Ｈの視界に他の観覧者Ｈが入ることが抑制され、観覧者Ｈに没入感を与えることができる。更に、設置される円形の柵２２の高さを、観覧ポイント１４を考慮した高さに設定することで、観覧者Ｈが映像を観覧する姿勢になったときに、観覧者Ｈの視点が自然に置かれるような範囲に、観覧ポイント１４の配置を促すことができる。
【００６３】
又、映像観覧システム１０は、表示部１２が、円形の平面部１２ｂと、この平面部１２ｂの周囲に配置された湾曲部１２ｃとからなるものである。湾曲部１２ｃは、外側に向かって上方に湾曲した形状であり、その最も外側の縁が、表示部１２の円形の外縁部１２ａを規定している。更に、表示部１２の、映像が表示される範囲と表示されない範囲との境界Ｌ２が、湾曲部１２に、その境界Ｌ２をぼかすようにして表示するよう配置されることで、このような境界Ｌ２が観覧者Ｈにより視認されることを抑制することができる。これは、表示部１２に表示する映像として、例えば、宇宙空間等をイメージした角や縁がない映像を表示するような場合に特に有効であり、観覧者Ｈに対して、より臨場感のある映像を表示することが可能となる。更に、平面部１２ｂには平面に適した映像を、湾曲部１２ｃには湾曲面に適した映像を表示することで、表示部１２の形状を利用した臨場感のある映像を表示することができる。
【００６４】
更に、映像観覧システム１０は、図１に示すように、湾曲部１２ｃの上方への傾斜角度が、外側に向かうにつれて徐々に増加していることで、映像の表示範囲と非表示範囲との境界Ｌ２が、観覧者Ｈにより視認されることを更に抑制することができ、観覧者Ｈに対してより臨場感のある映像を表示することが可能となる。
【００６５】
又、映像観覧システム１０は、図２に示すように、観覧者Ｈが観覧フロア１８に入るための上りのスロープ４０と、観覧者Ｈが観覧フロア１８から出るための下りのスロープ４２とが設けられているものである。これにより、観覧ポイント１４が設置された観覧フロア１８が高い位置に設けられている場合であっても、フロア間の高低差をスロープ４０、４２でつなぐことで、観覧者Ｈがスムーズかつ容易に観覧フロア１８に出入りすることができる。更に、上り及び下りのスロープ４０、４２が、観覧フロア１８の外周の一部に沿って設けられていることで、観覧者Ｈの観覧フロア１８に対するアプローチの形状に合わせた省スペース化を図ることができる。
【００６６】
又、本発明の実施の形態に係る映像観覧システム１０は、表示部１２に映像を表示するための、例えば図３に示すような構成を含む表示装置３０を備えたものである。この表示装置３０として、表示部１２の大きさや形状を考慮した、適切な構成の表示装置３０を用いることで、表示部１２に効率よく映像を表示することができる。
更に、表示装置３０を用いて、表示部１２にドットバイドットで映像を表示することで、映像データに拡大や縮小等の処理を加えずに、そのままの解像度で映像を表示することとなるため、再生した映像データから映像品質を劣化させずに、表示部１２に映像を表示することが可能となる。
【００６７】
又、映像観覧システム１０は、図３に示すように、表示装置３０が、表示部１２の上方から表示部１２に映像を投射する複数のプロジェクタ３２（図１参照）と、これらのプロジェクタ３２に映像データを提供する、プロジェクタ３２と同数の複数の再生機器３４とを備え、更に、プロジェクタ３２と再生機器３４とが１対１で接続されているものである。このような構成により、１台の再生機器３４から提供された映像データが、１台のプロジェクタ３２から投射されることとなるため、プロジェクタ３２と再生機器３４とが異なる数量の構成と比較して、映像データの管理や投射する映像の調整が容易になる。更に、１台の再生機器３４から提供する映像データの画素数と、１台のプロジェクタ３２の解像度とが一致する構成とすることで、ドットバイドットでの表示を容易に実現することができる。
【００６８】
更に、映像観覧システム１０は、表示装置３０が、複数の再生機器３４で映像を同期再生し、複数のプロジェクタ３２の各々から、予め設定された表示部１２の対応する表示領域に映像を投射して、表示部１２に切れ目のない映像を表示する。すなわち、各プロジェクタ３２には、例えば、図４に示す表示領域ｃ１ｒ１〜ｃ４ｒ３のような、映像を投射する表示領域が表示部１２の一部に予め設定されており、これらの表示領域は、複数のプロジェクタ３２から複数の表示領域に映像を投射したときに、表示部１２に切れ目のない映像が表示されるように設定されている。従って、表示面積が大きい表示部１２に映像を表示するような場合であっても、複数のプロジェクタ３２を用いて、臨場感のある自然な映像を表示すること可能となる。又、図４に示すように、プロジェクタ３２の表示領域は通常は矩形であるが、プロジェクタ３２のマスク機能を用いて表示領域を制限することで、表示部１２に円形の映像を表示することができる。
【００６９】
又、本発明の実施の形態に係る映像観覧システム１０は、表示装置３０のプロジェクタ３２により、表示部１２に映像を表示する際に、図４に示すように、湾曲部１２ｃの境界線Ｌ２よりも内側（図中ドットで示す領域）に、プロジェクションマッピング技術を利用した映像を投射するものである。すなわち、表示部１２の湾曲部１２ｃに、湾曲部１２ｃの湾曲した形状に調和するような映像を投射し、湾曲形状を利用した空間的な映像を表示することで、観覧者Ｈに対して、より臨場感のある映像を表示することが可能となる。
【００７０】
又、映像観覧システム１０は、表示装置３０が、複数のプロジェクタ３２から映像を投射する際に、各プロジェクタ３２の隣接する表示領域同士の端部が重複するように映像を投射する。すなわち、各プロジェクタ３２には、図４に示す表示領域ｃ１ｒ１〜ｃ４ｒ３のように、隣接する表示領域と端部同士が重複するように、表示領域が設定されている。そして、表示装置３０は、このような表示領域の重複箇所（図中斜線で示す領域）に、プロジェクタ３２が有するエッジブレンディング機能を用いて調整した映像を投射する。これにより、表示部１２に切れ目のない映像を表示すると共に、隣接する表示領域に表示する映像同士を、つなぎ目が目立たないように接合して表示することができる。
【００７１】
なお、本発明の実施の形態に係る映像観覧システム１０は、表示装置３０が、表示部１２を構成するＬＥＤディスプレイを含むように構成されていてもよいものである。これにより、ＬＥＤディスプレイで表示部１２に直接映像を表示するものでありながら、観覧者Ｈに対して臨場感や没入感を与える映像を表示することができる。
【００７２】
又、本発明の実施の形態に係る映像観覧システム１０は、観覧ポイント１４が、最適には１列が好ましいが、外側ほど高い位置に設けられる同心円の複数列状に設けられていてもよいものである。例えば、観覧ポイント１４が観覧フロア１８に設置される場合には、表示部１２の円形の外縁部１２ａと同心円をなすように、外側ほど高い位置となる環状の複数列の段を、観覧フロア１８に設ける。これにより、環状の複数列の段の各々に、各段から表示部１２に表示される映像を観覧者Ｈが適切に観覧するための、観覧ポイント１４が配置される。この構成により、更に多くの観覧者Ｈに対して同時に、かつ、同一段の観覧者Ｈに対して同等な、観覧環境を提供することができる。又、外側の段ほど観覧ポイント１４から表示部１２までの距離が遠くなることで、観覧者Ｈにより映像を構成するドットが認識されることを更に抑制することができ、臨場感のある映像を表示することが可能となる。
【００７３】
一方、本発明の実施の形態に係る映像表示方法は、図５に示すように、映像観覧システム１０の構築場所等を考慮して、表示部１２の形状や大きさを決定し（Ｓ１０）、表示部１２の円形の外縁部１２ａと同心円をなすような位置に、観覧ポイント１４を設定する（Ｓ２０）。そして、観覧ポイント１４から、表示部１２に表示される映像を観覧者Ｈが観覧する際の、観覧者Ｈの目と表示部１２との間の観覧距離ｄｖ（図６参照）を設定する（Ｓ３０）。この観覧距離ｄｖには、例えば、図６に示すように、観覧者Ｈが観覧ポイント１４から表示部１２を見下ろす際の、観覧者Ｈの目の位置から表示部１２までの鉛直距離を設定する。更に、当業者の間で演出上好ましいとされる判断基準に基づき、観覧距離ｄｖの１０００分の１以下の大きさの、表示部１２に表示する映像のドットサイズｘ（図７参照）を設定する（Ｓ４０）。例えば、観覧距離ｄｖが３ｍに設定されている場合には、表示部１２に表示する映像のドットサイズｘを、３ｍの１０００分の１以下である３ｍｍ以下に設定する。
【００７４】
そして、上述のように設定したドットサイズｘで構成した映像を、表示装置３０により表示部１２に表示することで、観覧ポイント１４から観覧する観覧者Ｈによって、表示部１２に表示する映像がドット単位で視認されることを抑制することができ、観覧者Ｈに対して更なる没入感を与えることが可能となる。更に、表示部１２に表示する映像のドットサイズｘは、観覧ポイント１４から観覧する観覧者Ｈの観覧距離ｄｖに基づいて設定されるため、観覧ポイント１４と表示部１２との位置関係や、表示部１２の大きさに関わらず、観覧ポイント１４から観覧する観覧者Ｈに対して、常に同程度の画質で視認される映像を表示することが可能となる。
【００７５】
更に、本発明の実施の形態に係る映像表示方法は、図５に示すように、Ｓ１０で決定した表示部１２の大きさと、Ｓ４０で設定したドットサイズｘとに基づいて、表示部１２に表示する映像の総ドット数を算出する（Ｓ５０）。すなわち、図４を例に説明すると、表示部１２内の境界線Ｌ２の内側の領域よりも大きい矩形領域を、ドットサイズｘのドットで構成する場合の、総ドット数ｈｎ×ｗｎドットを算出する。次に、算出した総ドット数ｈｎ×ｗｎドットで構成される映像を、表示部１２の上方から表示部１２に投射することが可能な、プロジェクタ３２の数量を算出する（Ｓ６０）。このプロジェクタ３２の数量は、表示装置３０に用いるプロジェクタ３２の解像度に応じて、又、プロジェクタ３２の隣接する表示領域同士の端部を重複させることを考慮して、必要数量を算出する。そして、算出した数量のプロジェクタ３２と、プロジェクタ３２に映像データを提供する再生機器３４とを含むように表示装置３０を構成し、このように構成した表示装置３０のプロジェクタ３２により、表示部１２に映像を投射する。これにより、本発明の実施の形態に係る映像表示方法は、観覧者Ｈに対して臨場感や没入感を与える映像を、適切な構成の表示装置３０を用いて、効率よく表示することが可能となる。
なお、表示部１２は、円形の外縁部１２ａをベストモードとして、多角形の外縁部を有していてもよい。この場合には、観覧ポイントが、多角形の外縁部と相似形をなすように配置される。
【符号の説明】
【００７６】
１０：映像観覧システム、１２：表示部、１２ａ：円形の外縁部、１２ｂ：平面部、１２ｃ：湾曲部、１４：観覧ポイント、１６：表示フロア、１８：観覧フロア、２０：開口、２０ａ：周縁部、２２：円形の柵、３０：表示装置、３２：プロジェクタ、３４：再生機器、４０：上りのスロープ、４２：下りのスロープ、Ｈ：観覧者、ｄ１２：外縁部の直径、ｄ２０：開口の直径、ｄｖ：観覧距離、ｘ：ドットサイズ、ａｒ１〜ａｒ３：重複箇所
【要約】
【課題】複雑な装置を用いることなく、複数の観覧者が同等の観覧環境下でかつ同時に、臨場感を得られる映像を表示する。
【解決手段】映像観覧システム１０は、水平面上に配置された円形の外縁部１２ａを有する表示部１２と、表示部１２を見下ろす位置に、円形の外縁部１２ａと同心円をなすように配置された観覧ポイント１４とを備えている。このため、臨場感を醸成するにあたり、観覧者Ｈによる観覧方向に依存しない映像を表示部１２に表示することにより、観覧ポイント１４内の、同心円の軸Ｃ周り方向に関するどの位置からも、観覧者Ｈに対して同等に映像を認識させることができる。更に、複数の観覧者Ｈが、観覧ポイント１４内に視点を置いた状態で軸Ｃ周り方向に広がり、表示部１２を見下ろす姿勢で映像を観覧することとなるため、複数の観覧者Ｈ全員に対して、同時に、同等な観覧環境を提供することが可能となる。
【選択図】図１【図１】
0005530022.tif 000002
【図２】
0005530022.tif 000003
【図３】
0005530022.tif 000004
【図４】
0005530022.tif 000005
【図５】
0005530022.tif 000006
【図６】
0005530022.tif 000007
【図７】
0005530022.tif 000008